(57)【要約】【課題】本発明は、ブラシの外側で掃いた塵埃を除去でき、吸引による高い塵埃の除去能力を有するクリーニング装置を得ることを目的とする。【解決手段】本発明に係るクリーニング装置は、吸引口５から塵埃４を吸引するクリーニング装置であって、吸引口５は、その外周に植設された第１のブラシ３と、その略中央に植設された第２のブラシ２とを備え、第２のブラシ２の毛足は前記第１のブラシ３の毛足よりも長いことを特徴としている。【選択図】図１
2010022515.tif 000002
【特許請求の範囲】
【請求項１】
吸引口から塵埃を吸引するクリーニング装置であって、
前記吸引口は、その外周に植設された第１のブラシと、その略中央に植設された第２のブラシとを備え、
前記第２のブラシの毛足は前記第１のブラシの毛足よりも長いことを特徴とする、
クリーニング装置。
【請求項２】
前記吸引口は、前記第１のブラシの内側または外側に隣接して配設された遮蔽板をさらに備える、
請求項１に記載のクリーニング装置。
【請求項３】
前記遮蔽板の高さは前記第１のブラシの毛足よりも低い、
請求項１に記載のクリーニング装置。
【請求項４】
請求項１から請求項３のいずれかに記載のクリーニング装置を用いて、段差を有するクリーニング対象をクリーニングするクリーニング方法であって、
前記クリーニング装置において、前記第１，第２のブラシの毛足の差を前記段差の高さよりも大きく設定して、前記クリーニング対象をクリーニングすることを特徴とする、
クリーニング方法。
【請求項５】
前記クリーニング対象は液晶表示装置のバックライトである、
請求項４に記載のクリーニング方法。
【発明の詳細な説明】
【技術分野】
【０００１】
本発明は、クリーニング装置の吸引ブラシに関し、特に、液晶表示装置のバックライトのクリーニング装置に適した吸引ブラシに関するものである。
【背景技術】
【０００２】
一般に、液晶表示装置は、液晶表示パネルとバックライトと呼ばれる光源装置を組み合わせた構造を有する。その液晶表示パネルとバックライトを組み合わせる際、液晶表示パネルとバックライトの間に塵埃が混入すると、その塵埃が光の進行を妨げるため、表示品質を低下させてしまう。
【０００３】
そこで、液晶表示パネルとバックライトを組み合わせる直前に、液晶パネルとバックライトの各々を人手またはクリーニング装置によって吸引またはエアブローを行い、塵埃の混入を防止していた。その際、クリーニング装置に用いられる吸引ブラシの形状は吸引口の周囲に同じ長さのブラシを植設したものであった（例えば、特許文献１）。
【０００４】
【特許文献１】実開平６−５２７４７号公報
【発明の開示】
【発明が解決しようとする課題】
【０００５】
しかしながら、特許文献１に記載のクリーニング装置では、ブラシの外側で掃いた塵埃は吸引口に入らないため除去できず、バックライト表面に残ってしまい、表示不良となるという問題があった。
【０００６】
また、従来のクリーニング装置は、ブラシの長さが同じであるため、吸引口の気密性が高くなりすぎて、充分な風量を得られず、塵埃の吸引能力の低下を招いたり、吸引力が強くなりすぎて、バックライトを構成している光学シートを変形させたりしてしまうという問題もあった。
【０００７】
また、塵埃が吸引口に来る数を増やすためにブラシの密度を下げると、ブラシの隙間からの空気の流れ込みが増加し、吸引口直下の吸い込み力が低下してしまうという問題もあった。
【０００８】
本発明は、これらの問題を解決するためになされたものであり、ブラシの外側で掃いた塵埃を除去でき、吸引による高い塵埃の除去能力を有するクリーニング装置を得ることを目的とする。
【課題を解決するための手段】
【０００９】
この発明の主題に係るクリーニング装置は、吸引口から塵埃を吸引するクリーニング装置であって、吸引口は、その外周に植設された第１のブラシと、その略中央に植設された第２のブラシとを備え、第２のブラシの毛足は第１のブラシの毛足よりも長いことを特徴とする。
【発明の効果】
【００１０】
本発明によれば、吸引口から塵埃を吸引するクリーニング装置であって、吸引口は、その外周に植設された第１のブラシと、その略中央に植設された第２のブラシとを備え、第２のブラシの毛足は第１のブラシの毛足よりも長いことを特徴としているので、ブラシの外側で掃いた塵埃を除去でき、吸引による高い塵埃の除去能力を有するクリーニング装置を得ることができる。よって、クリーニング対象が、例えばバックライトである場合、バックライト表面の塵埃を除去し易くなり、バックライト表面の残留塵埃による表示品質の低下を防止することができる。これにより、クリーニング装置による塵埃除去の歩留りも向上する。
【発明を実施するための最良の形態】
【００１１】
（実施の形態１）
図１は、クリーニング装置の吸引口の断面図である。また、図２は図１のクリーニング装置の吸引口の先端側から見た図である。尚、クリーニング対象１は、例えば液晶表示装置のバックライトとして以下に説明する。
【００１２】
本実施の形態に係るクリーニング装置は、クリーニング装置本体（図示せず）、ホース（図示せず）および吸引口体１０等で構成されており、クリーニング装置本体からホースを介して吸引口体１０に接続されている。図１において、吸引口体１０の吸引口５の先端には、その吸引口５の略中央に植設されたブラシ２と吸引口５の外周に植設されたブラシ３を備えている。尚、吸引口５の中央のブラシ２の毛足の長さは、吸引口５の周囲のブラシ３の毛足の長さよりも長いという特徴を有している。
【００１３】
このように、吸引口５の中央のブラシ２の毛足の長さを、吸引口５の周囲のブラシ３の毛足の長さよりも長い構成とすることで、従来、吸引口の周囲のブラシによって、吸引口の外側では掃くだけで除去できなかった塵埃を吸引口内に取り込むことができ、塵埃を除去しやすくなる。
【００１４】
また、吸引口５の中央のブラシ２が吸引口５の周囲のブラシ３よりも毛足が長いため、吸引口５が周囲のブラシ３で完全に覆われることがない。そのため、吸引口５内部の気密性が低くなる。よって、吸引風量の低下による塵埃４の除去能力を損なうことなく、クリーニングすることが可能となる。
【００１５】
また、中央のブラシ２が塵埃４を擦り、塵埃４をバックライト表面から浮かせることにより除去し易くなる。液晶パネルのバックライト表面をクリーニングする場合、上記の効果を実現するためには、中央のブラシ２が吸引口５周囲のブラシ３よりも１〜２ｍｍ程度長くすると良い。
【００１６】
以上のように、本実施の形態では、クリーニング装置の中央のブラシ２の毛足の長さを周囲のブラシ３の毛足の長さよりも長くすることで、ブラシの外側で掃いた塵埃４を除去でき、バックライト表面の塵埃４を除去し易くなり、バックライト表面の残留塵埃４による表示品質の低下を防止することができる。これにより、クリーニング装置による塵埃除去の歩留りも向上する。
【００１７】
（実施の形態２）
図３は、実施の形態２に係るクリーニング装置の吸引口の断面図である。図３において、吸引口体１０は、遮蔽板６が吸引口５の周囲のブラシ３の内側に配置された特徴を有している。但し、遮蔽板６は吸引口５の周囲のブラシ３の外側に配置しても良い。また、クリーニング面に凹凸がある場合でも、この遮蔽板６が清掃面に触れないように、この遮蔽板６は周囲のブラシ３よりも若干短くしている。
【００１８】
このように、吸引口５の周囲のブラシ３の内側または外側に遮蔽板６を入れることにより、ブラシの隙間からの空気の流れ込みを防ぎ、吸引効率を損なわないようにできる。また、遮蔽板６は周囲のブラシ３の絡みつき防止の効果もある。
【００１９】
さらに、遮蔽板６は吸引口５の周囲のブラシ３より低いので、クリーニング面に凹凸がある場合でも、清掃面に触れずにクリーニングできる。
【００２０】
以上のように、本実施の形態に係るクリーニング装置は、吸引口５の中央のブラシ２の毛足の長さを吸引口５の周囲のブラシ３の毛足の長さよりも長くし、さらに周囲のブラシ３の内側または外側に遮蔽板６を設置することで、ブラシの外側で掃いた塵埃４を除去でき、吸引による高い塵埃４の除去能力を有する。よって、バックライト表面の残留塵埃４による表示品質の低下防止することができる。これにより、クリーニング装置の塵埃除去の歩留りも向上する。
【００２１】
（実施の形態３）
図４は、実施の形態３に係るクリーニング方法を示す断面図である。吸引口体１０の構成は実施の形態２の図３と同様である。なお、実施の形態１の図１の構成であってもよい。クリーニング対象１は、液晶表示装置のバックライトであり、外周端に縁７（段差）を有している。さらに、吸引口５の中央のブラシ２と吸引口５の周囲のブラシ３の毛足の差をバックライト外周の縁７（段差）の高さよりも大きく設定している。
【００２２】
図４のように、バックライト外周の縁７をクリーニングするクリーニング方法の場合、吸引口５の中央のブラシ２と吸引口５の周囲のブラシ３の毛足の長さの差が、バックライト外周の縁７の高さより大きく設定しているため、吸引口５の中央のブラシ２をバックライト表面の端のぎりぎりまで寄せることができるので、バックライト表面の端まで完全に塵埃４を除去することができる。また、バックライト外周の縁７の上の塵埃４も除去することができる。これにより、クリーニング装置による塵埃除去の歩留りも向上する。
【図面の簡単な説明】
【００２３】
【図１】本発明の実施の形態１に係るクリーニング装置の吸引口の断面図である。
【図２】図１のクリーニング装置を吸引口の先端側から見た図である。
【図３】本発明の実施の形態２に係るクリーニング装置の吸引口の断面図である。
【図４】本発明の実施の形態３に係るクリーニング方法に用いる吸引口の断面図である。
【符号の説明】
【００２４】
１  バックライトの最表面（清掃される面）、２  吸引の中央ブラシ、３  吸引の周囲ブラシ、４  塵埃、５  吸引口、６  遮蔽板、７  バックライト外周の縁、１０  吸引口体。
【図１】
2010022515.tif 000003
【図２】
2010022515.tif 000004
【図３】
2010022515.tif 000005
【図４】
2010022515.tif 000006